(57)【要約】  本発明は、紙葉類の精査において、紙葉類に関する情報を確認する処理時間が長期化せず、また、紙葉類に関する情報の読取りができなかった場合や、紙葉類を収納庫に収納する際に順番が入れ替わった場合に、必ずしも装置異常と判断しない紙葉類取扱装置を提供することを目的とする。  上記の問題に鑑み、本発明における紙葉類取扱装置は、紙葉類を鑑別する鑑別部と、紙葉類を収納し、収納された紙葉類を繰出す還流庫と、前記鑑別部と前記還流庫とを接続し、紙葉類を搬送する搬送路と、前記紙葉類に関する情報と、該紙葉類の収納位置とを記憶する記憶部と、各部を制御する制御部と、を備え、前記制御部は、前記記憶部に紙葉類に関する情報を記憶する対象となる紙葉類を抽出し、前記記憶部は、前記抽出された紙葉類に対して、該紙葉類に関する情報を記憶することを特徴とする。
2013121643.tif 000002
【特許請求の範囲】
【請求項１】
紙葉類を鑑別する鑑別部と、
紙葉類を収納し、収納された紙葉類を繰出す還流庫と、
前記鑑別部と前記還流庫とを接続し、紙葉類を搬送する搬送路と、
前記紙葉類に関する情報と、該紙葉類の収納位置とを記憶する記憶部と、
各部を制御する制御部と、を備え、
前記制御部は、前記記憶部に紙葉類に関する情報を記憶する対象となる紙葉類を抽出し、前記記憶部は、前記抽出された紙葉類に対して、該紙葉類に関する情報を記憶することを特徴とする紙葉類取扱装置。
【請求項２】
請求項１に記載された紙葉類取扱装置であって、
前記制御部は、前記還流庫から繰出され、前記鑑別部で鑑別された紙葉類に関する情報と、前記記憶部に記憶された紙葉類に関する情報と、を照合することを特徴とする紙葉類取扱装置。
【請求項３】
請求項２に記載された紙葉類取扱装置であって、
前記制御部は、前記記憶部に記憶された紙葉類の収納位置を基準として、予め定められた範囲内において、前記鑑別部が該紙葉類に関する情報を鑑別するか判断することを特徴とする紙葉類取扱装置。
【請求項４】
請求項１〜３のいずれか一つに記載された紙葉類取扱装置であって、
前記制御部は、前記記憶部に紙葉類に関する情報を記憶する対象となる紙葉類を所定枚数毎にあるいは無作為に抽出することを特徴とする紙葉類取扱装置。
【請求項５】
請求項１〜４のいずれか一つに記載された紙葉類取扱装置であって、
前記制御部は、前記記憶部に紙葉類に関する情報を記憶する対象となる紙葉類を予め定められた枚数以上の間隔をあけて抽出することを特徴とする紙葉類取扱装置。
【請求項６】
請求項１〜５のいずれか一つに記載された紙葉類取扱装置であって、
前記制御部は、前記還流庫に収納された紙葉類の枚数に応じて、前記記憶部に紙葉類に関する情報を記憶する対象となる紙葉類を抽出する間隔を変更することを特徴とする紙葉類取扱装置。
【請求項７】
請求項１〜６のいずれか一つに記載された紙葉類取扱装置であって、
前記制御部は、前記紙葉類の汚れや欠損の程度が所定の範囲内である紙葉類に対して、前記記憶部に紙葉類に関する情報を記憶することを特徴とする紙葉類取扱装置。
【請求項８】
請求項１〜７のいずれか一つに記載の紙葉類取扱装置であって、
前記制御部は、前記紙葉類取引装置に接続される自動取引装置に通知する通知手段を有することを特徴とする紙葉類取扱装置。
【請求項９】
請求項１に記載された紙葉類取扱装置と、
前記還流庫から繰出された紙幣であり、前記鑑別部で鑑別された紙葉類に関する情報と、前記記憶部に記憶された紙葉類に関する情報と、を前記紙葉類取扱装置により照合した結果を表示する表示手段と、を有することを特徴とする自動取引装置。
【発明の詳細な説明】
【技術分野】
【０００１】
本発明は、紙葉類を取り扱う紙葉類取扱装置及び当該紙葉類取引装置を搭載した自動取引装置に関する。
【背景技術】
【０００２】
特許文献１には、ＡＴＭ（Ａｕｔｏｍａｔｅｄ  Ｔｅｌｌｅｒ  Ｍａｃｈｉｎｅ）などの自動取引装置に搭載される紙葉類取扱装置において、収納庫に収納された全ての紙葉類について、紙葉類の固有情報（紙葉類の記番号など）を管理することが開示されている。
【先行技術文献】
【特許文献】
【０００３】
【特許文献１】特開２０１１−１０７９２３号公報
【発明の概要】
【発明が解決しようとする課題】
【０００４】
収納庫内の全ての紙葉類を管理することにより、例えば、収納庫に収納される紙葉類及び収納庫から繰出される紙葉類を特定し、収納庫内の紙葉類の枚数又は種類を確定する処理が行われている（紙葉類の精査）。これにより、紙葉類取扱装置の計数処理に係る処理負担の軽減や、盗難された紙葉類の不正利用を防止するという効果がある。【０００５】
しかし、特許文献１の場合、収納庫内の全ての紙葉類に関する情報を記憶するため、大容量の記憶領域が必要となる。また、紙葉類取扱装置で取扱可能な紙葉類の枚数が増加しても、紙葉類に関する情報を確認する処理時間が長期化しないことが求められている。【０００６】
さらに、収納庫内の全ての紙葉類について、収納された順番を管理することは厳格な管理方法であり、紙葉類に関する情報の読取りができなかった場合や、紙葉類を収納庫に収納する際に順番が入れ替わった場合に、装置が異常と判断する可能性がある。
【課題を解決するための手段】
【０００７】
上記の問題に鑑み、本発明における紙葉類取扱装置は、紙葉類を鑑別する鑑別部と、紙葉類を収納し、収納された紙葉類を繰出す還流庫と、前記鑑別部と前記還流庫とを接続し、紙葉類を搬送する搬送路と、前記紙葉類に関する情報と、該紙葉類の収納位置とを記憶する記憶部と、各部を制御する制御部と、を備え、前記制御部は、前記記憶部に紙葉類に関する情報を記憶する対象となる紙葉類を抽出し、前記記憶部は、前記抽出された紙葉類に対して、該紙葉類に関する情報を記憶することを特徴とする。【０００８】
また、本発明における自動取引装置は、上記特徴を備えた紙葉類取扱装置と、前記還流庫から繰出された紙幣であり、前記鑑別部で鑑別された紙葉類に関する情報と、前記記憶部に記憶された紙葉類に関する情報と、を前記紙葉類取扱装置により照合した結果を表示する表示手段と、を有することを特徴とする。
【発明の効果】
【０００９】
紙葉類の精査において、紙葉類に関する情報を確認する処理時間が長期化しなくとも、装置の大容量化に対応可能である。また、紙葉類に関する情報の読取りができなかった場合や、紙葉類を収納庫に収納する際に順番が入れ替わった場合に、必ずしも装置異常と判断しないため、装置をダウンさせずに処理を継続することが可能となる。
【図面の簡単な説明】
【００１０】
【図１】現金自動取引装置の外観図である。
【図２】現金自動取引装置の機能ブロック図である。
【図３】紙葉類取扱装置の内部構成を示す側面図である。
【図４】紙葉類取扱装置の機能ブロック図である。
【図５】記憶部に記憶されるテーブルを示す図である。
【図６】収納庫に収納された紙葉類を示す図である。
【図７】係員操作部の表示画面を示す図である。
【図８】実施例１における紙葉類の収納処理を示すフローチャートである。
【図９】実施例１の紙葉類の収納処理における、紙葉類情報テーブルを示す図である。
【図１０】実施例１における紙葉類の繰出処理を示すフローチャートである。
【図１１】実施例１の紙葉類の繰出処理における、紙葉類情報テーブルを示す図である。
【図１２】実施例２における処理を示すフローチャートである。
【図１３】実施例２の処理における、紙葉類情報テーブルを示す図である。
【図１４】実施例３における処理を示すフローチャートである。
【図１５】実施例３の処理における、紙葉類情報テーブルを示す図である。
【発明を実施するための形態】
【００１１】
以下、本発明を実施するための形態について、図１〜図１５を用いて説明する。なお、下記第１〜第３の実施例は、組み合わせて実施することは可能であるため、共通する構成については、説明を省略する。
【実施例１】
【００１２】
（Ａ）現金自動取引装置の構成について
図１は、現金自動取引装置（以下、ＡＴＭとする）の外観図である。ＡＴＭ１０１は、カード・明細票処理機構１０２、通帳処理機構１０３、筐体１０４、操作・表示部１０５、紙葉類取扱機構１を備えている。【００１３】
カード・明細票処理機構１０２は、カード挿入口・明細票発券口１０２ａを介して、取引時に使用されるキャッシュカードなどの挿入及び排出や、取引明細が印字された明細票の排出を実行する。また、カードに付加された磁気ストライプの情報の読取・磁気ストライプへの情報の書込、取引明細の印字を実行する。【００１４】
通帳処理部１０３は、通帳挿入口１０３ａを介して、取引時に使用される通帳の挿入及び排出を実行する。また、挿入された通帳への印字を実行する。さらに、通帳に貼付された磁気ストライプの情報の読取や、磁気ストライプへの情報の書込を実行する。【００１５】
操作・表示部１０５は、取引情報を表示すると共に利用者の操作により取引情報の入力を受け付ける。また、操作・表示部１０５は、金融機関などの係員の利用にも供される物であり、ＡＴＭ１０１の運用に関する情報を表示すると共に、係員の操作により入力を受け付ける。なお、係員向けの操作・表示部は、上記操作・表示部１０５と別途に備えても良い。この場合、係員向けの操作・表示部を筐体１０４の内部に備えても良い。【００１６】
紙葉類取扱機構１は、紙葉類入出金口２を介して、紙葉類の入出金処理、鑑別処理などを実行する。紙葉類取扱機構１の詳細な構成については、後述する。【００１７】
なお、ＡＴＭ１０１は、硬貨の入出金処理、鑑別処理などを実行する硬貨処理部や、視覚障害者、高齢者などの利用に供するハンドセットや、生体認証用の生体情報読取装置などを備えても良い。【００１８】
図２は、ＡＴＭ１０１の制御関係を示すブロック図である。ＡＴＭ１０１は、カード・明細票処理機構１０２、通帳処理部１０３、操作・表示部１０５、インタフェース部１０７、係員操作部１０８、外部記憶装置１０９を備えている。これらのカード・明細票処理機構１０２、通帳処理部１０３、操作・表示部１０５、インタフェース部１０７、係員操作部１０８、外部記憶装置１０９は、バス１１０を介して本体制御部１０６と接続されており、本体制御部１０６の制御の下に必要な動作を行う。また、上記各機構及び構成部分は、電源部１１１により電力を供給される。【００１９】
図３は、紙葉類取扱装置１の内部構成を示す側面図である。紙葉類取扱装置１の上部には、その前面側（利用者に面する側：図３の上部右側）には、入出金口２が配置される。また、中央部には、搬送された紙葉類の金種、真偽若しくは状態を鑑別する鑑別部３が配置され、背面側（前面側の反対側：図３の上部左側）の上側には入金された紙葉類を取引成立までの間、一時的に収納する一時保管庫４が配置される。また、一時保管庫４の下側には、出金処理の完了後に、入出金口２に取り忘れられた紙葉類を収納する、取り忘れ回収庫１４がある。これらの各機構は、紙葉類を搬送する搬送路５により接続される。また、搬送路５において、紙葉類の通過を検出するための搬送路センサ１３ａ〜１３ｈを備える。【００２０】
ここで、鑑別部３は、前方から後方へ搬送される紙葉類、および後方から前方へ搬送される紙葉類のどちらであっても、金種、真偽若しくは状態を鑑別することが可能である。また、鑑別部３は、各々の紙葉類に固有の情報（例：紙葉類に印刷された記番号など）を読み取ることにより、同一の金種、真偽若しくは状態の紙葉類が複数であっても、別個の紙葉類として認識することが可能である。【００２１】
紙葉類取扱装置１の下部には、その前側から後側に向かって、紙葉類の収納及び放出を行う還流庫７、８、９と、単に紙葉類を収納する入金庫６と、還流庫１０とが配置される。【００２２】
還流庫７、８、９は、入金処理時に金種別に紙葉類が収納され、出金処理時に指定された枚数の紙葉類が放出される。また、還流庫１０は、還流庫７、８、９に紙葉類を装填・回収する紙葉類装填部としての機能を有する。【００２３】
入金庫６には、入金された紙葉類のうち、折れなどが生じて出金に適さないと判断された紙葉類（リジェクト紙葉類）が収納される。ここで、リジェクト紙葉類とは、例えば、紙葉類の一部に折れが生じているため、出金処理時に、搬送路５上を搬送させるに適さない紙葉類のことである。なお、リジェクト紙葉類を入金庫６でなく、還流庫７、８、９、１０に収納しても良い。【００２４】
図４は、紙葉類取扱装置１の制御関係を示すブロック図である。紙葉類取扱装置１は、入出金口２、鑑別部３、一時保留部４、搬送路５、入金庫６、還流庫７、８、９、１０、記憶部１１、搬送路センサ１３（１３ａ〜１３ｈ）を備えている。これらの各機構及び構成部分は、制御部１２と接続されており、制御部１２の制御の下に必要な動作を行う。制御部１２は、搬送路センサ１３ａ〜１３ｈからの紙葉類検出信号を受信する。また、ＡＴＭ１０１のバス１１０を介して、本体制御部１０６により制御され、本体制御部１０６からの指令および紙葉類取扱装置１の状態検出に応じて紙葉類取扱装置１の制御を行い、紙葉類取扱装置１の状態を必要に応じて本体制御部１０６に送る。【００２５】
記憶部１１には、鑑別部３が鑑別した紙葉類の固有情報（記番号など）、紙葉類の鑑別情報(紙葉類の金種、真偽又は状態の鑑別結果など)、及び収納位置情報（還流庫内において紙葉類が収納されている位置など）が、テーブル形式（以下、紙葉類情報テーブル）として記憶される。紙葉類情報テーブルは、各々の還流庫に対して設けられる。すなわち、還流庫７に収納される紙葉類に関する情報は、還流庫７に対応する紙葉類情報テーブルに記憶され、その他還流庫（８、９、１０）に収納される紙葉類に関する情報は、各々の還流庫に対応した紙葉類情報テーブルに記憶される。なお、各々の紙葉類情報テーブルに記憶される情報は、同一である。【００２６】
図５は、紙葉類情報テーブルを示す図である。紙葉類情報テーブル１１ａには、テーブルへの記憶対象である紙葉類の通しＮｏ．１１０１、テーブルへの記憶対象である紙葉類の収納位置１１０２、金種１１０３、バージョン１１０４、損券レベル１１０５、記番号１１０６、及びその他の特徴１１０７が記憶されている。【００２７】
ここで、バージョン１１０４とは、紙葉類が発行された時期を示すものであり、紙葉類の発行時期に応じて、「Ｄ」「Ｅ」等のアルファベットからなる記号が記憶される。また、損券レベル１１０５とは、紙葉類の汚れや欠損の程度を総合的に判定したものを数値化したものであり、数値が大きい程、紙葉類が汚れている（または紙葉類が欠損している）。【００２８】
また、その他の特徴１１０７には、リジェクト紙葉類を還流庫に収納する場合のリジェクト要因、紙葉類を鑑別した面（表面、裏面）や方向、紙葉類の真偽の程度（真券、偽券、真偽が疑わしい、等）、記番号１１０６が偽券ブラックリストに含まれているか、等について記憶される。【００２９】
従来では、還流庫に収納する全ての紙葉類について、紙葉類に関する情報を記憶していた一方で、本実施例の紙葉類情報テーブル１１ａは、特定の紙葉類に対してのみ、上記固有情報、鑑別情報、及び収納位置情報を記憶する。このように、特定の紙葉類に限定することにより、記憶部１１の使用量を節約することが可能となる。【００３０】
特定の紙葉類に対してのみ、上記固有情報、鑑別情報、及び収納位置情報を記憶するため、紙葉類が還流庫のどの位置に収納されているか特定しなければならない。そのため、紙葉類情報テーブル１１ａにおいて、紙葉類の収納位置１１０２が必要な構成である。【００３１】
また、紙葉類情報テーブル１１ａへの記憶対象となる紙葉類は、鑑別部３に搬送された紙葉類の中からランダムに選択される。記憶対象を不規則とすることにより、還流庫７、８、９、１０内のどの紙葉類が記憶対象となっているか容易に把握できず、より強固に不正を防止することが可能となる。【００３２】
以下、紙葉類情報テーブル１１ａの更新方法について説明する。還流庫７、８、９、１０のいずれかに紙葉類が入金される際に、鑑別部３が鑑別した紙葉類の固有情報、紙葉類の鑑別情報、及び収納位置情報を、対応する紙葉類情報テーブル１１ａに追加する。また、還流庫７、８、９、１０のいずれかから紙葉類を出金して、鑑別部３で鑑別した際に取得した情報が、対応する紙葉類情報テーブル１１ａに記憶された情報と同じであった場合、鑑別部３が鑑別した紙葉類の固有情報、紙葉類の鑑別情報、及び収納位置情報を、対応する紙葉類情報テーブル１１ａから削除する。このように、鑑別部３で取得した鑑別情報を、記憶部１１に記憶することで、還流庫７、８、９、１０に収納された紙葉類の固有情報、紙葉類の鑑別情報、及び収納位置情報を把握することが可能となる。
ＡＴＭ１０１の詳細な処理に関しては、「（３）具体的な処理フロー」にて説明する。【００３３】
（Ｂ）現金自動取引装置の運用
ＡＴＭ１０１は、金融機関などの紙葉類を取り扱う場所にて使用される。金融機関などの係員は、始業時にＡＴＭ１０１の各還流庫７、８、９、１０に紙葉類を補充してから運用を行う。利用者により入金された場合は、紙葉類が還流庫７、８、９に収納されるため、これらの還流庫の収納枚数は増加する。一方、利用者により出金された場合は、還流庫７、８、９から紙葉類が繰出されるため、これらの還流庫の収納枚数は減少する。【００３４】
また、係員の指定により、定期的にＡＴＭ１０１内の紙葉類の枚数の精査が行われる。ここで、精査とは、各還流庫７、８、９に収納された紙葉類の枚数を再度鑑別して確定する処理である。精査において、還流庫１０を空にして、各還流庫７、８、９のいずれか一つに収納された紙葉類を繰出し、鑑別部３にて鑑別後、一旦還流庫１０に収納する。一つの還流庫が空になったら、還流庫１０から紙葉類を繰出し、鑑別部３で再度鑑別し、再び元の還流庫に収納する。これを還流庫７、８、９に対して行う。すべての還流庫に対して鑑別部３による鑑別が終了した時点で、精査前にＡＴＭ１０１の記憶部１１に記憶していた枚数と精査後に計数した枚数との一致確認を行う。【００３５】
枚数が不一致となった場合、ＡＴＭ１０１は異常を報告する。枚数不一致となる主な原因は、係員による還流庫からの抜取りによる紙葉類の減量と紙葉類取扱装置による還流庫からの２枚繰出しなどによる繰り出し不正により紙葉類を多く繰り出すことによって起こりうる。しかし、枚数が不一致となった原因となる紙葉類を特定するのは困難であり、正確な原因究明には、時間と労力を割くことになる。【００３６】
本実施例では、上記の問題を解決するために、紙葉類情報テーブル１１ａに記憶された紙葉類が、予想されるタイミングで繰出されるかをチェックする。もし、予想されるタイミングで繰出されなければ、紙葉類取扱装置１は処理を中断し、係員による紙葉類の抜き取りがあった旨を図示せぬ通知部により通知する。【００３７】
ここで、予想されるタイミングとは、紙葉類情報テーブル１１ａに記憶された紙葉類の収納位置１１０２を基準に、前後数枚分の幅を持たせたものである。これは、還流庫に紙葉類が収納される際に、収納済の紙葉類と順序が入れ替わる可能性があるためである。紙葉類の繰出のタイミングを厳密にする（前後数枚分の幅を持たせない）場合、収納済の紙葉類と順序が入れ替わっただけで、抜取り異常と誤検知するため、必要以上に障害を増やしてしまい、運用に差し支える可能性がある。【００３８】
図６は、還流庫に収納されている紙葉類の概略図である。ここでは、還流庫７を例に説明するが、他の還流庫でも同様である。紙葉類情報テーブル１１ａに記憶された紙葉類７ａの収納位置が１０００枚目である場合、当該紙葉類の繰出タイミング７ｂを、９９８枚目から１００２枚目とする。すなわち、１０００枚目の前後２枚目以内に、当該紙葉類が繰出されれば、還流庫７からの紙葉類の抜取りは無いものとみなし、処理を続行する。一方、９９８枚目から１００２枚目の間に当該紙葉類が繰出されなかった場合、紙葉類取扱装置１は処理を中断する。また、図７に示すような異常発生画面１０５ａを、操作・表示部１０５に表示し、係員に対して通知を行う。異常発生画面１０５ａには、繰出しの検出に失敗した紙葉類の金種、記番号、及び還流庫（繰出し部）が表示される。【００３９】
（Ｃ）具体的な処理フロー
以下、本実施例における処理、すなわち、還流庫１０から還流庫７に紙葉類を搬送する際に、紙葉類に関する情報を記憶する処理、及び情報を記憶された紙葉類を還流庫７から繰出して還流庫１０に搬送する処理について、図８、図９を用いて詳細に説明する。なお、他の還流庫８、９に関しても同様のフローとなるため、説明は省略する。【００４０】
図８は、還流庫７への紙葉類の収納処理を示すフローチャートである。還流庫７への収納処理が開始された場合（２０１）、初期値として、紙葉類情報テーブル１１ａの紙葉類の通しＮｏ．１１０１に相当する値（紙葉類に関する情報を記憶する位置）Ｎ７＝１、還流庫７の収納枚数Ｓ７＝０に設定し、記憶部１１に記憶する（２０２）。１枚目の紙葉類が鑑別部３を通過し、鑑別部３の処理が完了すると（２０３：Ｙｅｓ）、鑑別結果が鑑別部３から制御部１２へ報告される。【００４１】
そして、制御部１２は、その金種情報から紙葉類の搬送先を決定する。搬送先が還流庫７である場合（２０４：ＹＥＳ）、還流庫７の収納枚数Ｓ７をＳ７＋１に更新する（２０５）。その後、制御部１２は、制御部１２自身が事前に抽出された値とＳ７とが一致するか判定を行う（２０６）。（２０６）は、紙葉類に関する情報を紙葉類情報テーブルに記憶するか否かの判定を行う処理であり、記憶する紙葉類が連続しないように適当な間隔（少なくとも、固有情報を記憶した紙葉類から前後数枚分の、繰出しタイミングをチェックする幅分）を空けるものとする。間隔を空けるのは、紙葉類収納時や紙葉類繰出し時に、紙葉類の状態によっては、収納庫内で順番が入れ替わることがあるためである。【００４２】
紙葉類に関する情報を紙葉類情報テーブル１１ａに記憶する間隔について、以下詳細に説明する。
（１）間隔は、図９（ａ）に示すように一定枚数毎（定量的な枚数間隔）としてもよいが、図９（ｂ）に示すように乱数などを用いて無作為に抽出した枚数間隔として不規則な間隔としてもよい。不規則に間隔をあけることで、係員がどの位置の紙葉類の固有情報を記憶しているかを把握しにくくなり、より厳重な不正防止が可能となるからである。【００４３】
（２）還流庫に収納された紙葉類の収納枚数に応じて、間隔を変えるようにしてもよい。特に、収納枚数が少ない場合に間隔を狭くすることにより、還流庫内に収納された紙葉類のうち、一定の割合以上の紙葉類に関する情報を記憶することにより、収納枚数の多少に拘わらず、厳重な不正防止が可能となるからである。【００４４】
（３）記憶部１１の記憶容量が大きく、多量の紙葉類について、紙葉類に関する情報を記憶することが可能である場合、紙葉類収納時及び紙葉類繰出し時の順番の入れ替わりを考慮した、数枚程度（５枚程度）の間隔をあけて記憶すればよい。【００４５】
（４）取引で還流庫からの繰出しが予想される枚数は通常、数枚から数十枚程度であるため、少なくともそれ以下の間隔、すなわち、各取引に少なくとも１枚は固有情報を記憶した紙葉類が含まれる程度の間隔をあけて記憶することで、取引毎に不正の有無をチェックすることが可能となる。【００４６】
（５）記憶部１１の記憶容量が小さい場合、数十枚から１００枚程度の定量的な枚数間隔としたり、より厳重な不正防止を行いたい場合は、無作為な枚数間隔としたり、収納枚数に応じて記憶する間隔を変えるなど、運用方法や紙葉類の収納容量に応じて、間隔を変えるようにしても良い。【００４７】
図８に戻り、Ｓ７が事前に抽出された値であり、紙葉類に関する情報を紙葉類情報テーブルに記憶すると判定された場合（２０６：Ｙｅｓ）、図９（ａ）または図９（ｂ）に示す紙葉類情報テーブル１１ａのように、Ｎ７の位置に、収納位置、鑑別情報、固有情報を記憶する（２０７）。その後、Ｎ７をＮ７＋１に更新する（２０８）。（２０１）〜（２０８）の処理は、還流庫１０に収納された紙葉類を全て繰出し、搬送が完了するまで繰り返し実行される（２０９）。【００４８】
図１０は、還流庫７からの紙葉類の繰出処理を示すフローチャートである。還流庫７からの繰出処理が開始された場合（３０１）、還流庫７から出た紙葉類の枚数を鑑別部３で鑑別する。鑑別部３の処理が完了すると（３０２：Ｙｅｓ）、還流庫７の収納枚数Ｓ７を減算する（３０３）。減算する枚数は、通常は１枚であるため、（３０３）では、Ｓ７をＳ７−１として更新する。なお、還流庫７から２枚重なって繰出されることもあり、その場合は、Ｓ７をＳ７−２として更新する。詳細は、第２の実施例において説明する。【００４９】
次に、鑑別部３で鑑別された紙葉類の枚数と還流庫７の収納枚数の合計枚数（すなわち、繰出し前の還流庫７の収納枚数（（３０３）におけるＳ７の更新後はＳ７＋１））が、紙葉類情報テーブル１１ａに記憶された紙葉類の情報のうち、最新の収納位置（通しＮｏ．１１０１に相当する値がＮ７−１である紙葉類の収納位置）Ｘに、ある程度幅を持たせた値（±αした値）の範囲内にあるかどうかをチェックする（３０４）。【００５０】
上記チェックの結果、範囲内にある場合（３０４：Ｙｅｓ）、制御部１２は、記番号を記憶した紙葉類が繰出されるタイミングと判断し、記番号チェックである旨のフラグをＯＮとし（３０５）、鑑別した記番号と、通しＮｏ．１１０１に相当する値がＮ７−１のである紙葉類の記番号との一致チェックを行う（３０６）。【００５１】
（３０６）のチェックの結果、２つの記番号が一致した場合は、記番号チェックである旨のフラグをＯＦＦ（チェックを終了）とし（３０７）、図１１に示す紙葉類情報テーブル１１ａのように、Ｎ７−１の位置に記憶された、収納位置、鑑別情報、固有情報を削除する（３０８）。その後、収納位置、鑑別情報、固有情報が削除された位置を次の記憶位置とすべく、Ｎ７をＮ７−１に更新する（３０９）。なお、（３０６）のチェックの結果、２つの記番号が一致しなかった場合は、上記（３０７）〜（３０９）の処理はスキップされる。これらの処理は、還流庫７に収納された紙葉類を全て繰出し、搬送が完了するまで繰り返し実行される（３１０）。【００５２】
一方、（３０４）におけるチェックの結果、範囲内にない場合であり（３０４：Ｎｏ）、記番号チェックである旨のフラグがＯＮであるときは（３１１）、チェック範囲内で記番号を検出できなかったと判断し、異常をアラートとし（３１２）、処理を終了する。【００５３】
以上の説明では、還流庫１０から還流庫７への紙葉類の搬送、及び還流庫７から還流庫１０への紙葉類の搬送の場合を説明したが、還流庫１０から還流庫８、９への紙葉類の搬送、及び還流庫８、９から還流庫１０への紙葉類の搬送についても同様であるため、説明を省略する。また、還流庫１０を紙葉類装填部としての機能を有する還流庫として説明したが、還流庫７、８、９の代わりに用いても良い。
【実施例２】
【００５４】
上述の通り、還流庫７（あるいは８、９、１０）から紙葉類を繰出す際に、２枚重なって繰出されることがある。紙葉類の重なり（及び重なっている紙葉類の枚数）は、鑑別部３で、紙葉類の厚み、面積及び体積を計測することにより判定することが可能である。【００５５】
このとき、紙葉類情報テーブルに記憶された情報を、鑑別部３で読み取ることができない場合がある。しかし、２枚繰出しにより、鑑別部３で読み取ることができなかった可能性があるため（すなわち、還流庫から紙葉類が抜き取られていない可能性があるため）、異常をアラートするには厳格過ぎる。【００５６】
そこで、第２の実施例として、２枚繰出しが発生した場合は、第１の実施例の（３０４）に加えて、通しＮｏ．１１０１に相当する値がＮ７−２である紙葉類の収納位置についても、ある程度幅を持たせた値（±αした値）の範囲内であるかチェックを行うものとする。【００５７】
図１２は、還流庫７からの紙葉類の繰出処理を示すフローチャートである。還流庫７からの繰出処理が開始された場合（４０１）、紙葉類の収納位置のチェックのリトライ回数Ｒの初期値として、Ｒ＝０に設定し、記憶部１１に記憶する（４０２）。その後、還流庫７から出た紙葉類の枚数を鑑別部３で鑑別する。鑑別部３の処理が完了すると（４０３：Ｙｅｓ）、還流庫７の収納枚数Ｓ７を減算する（４０４）。このとき、還流庫７から２枚（Ｙ枚）重なって繰出された場合は、Ｓ７をＳ７−２（Ｓ７−Ｙ）として更新する。【００５８】
２枚（Ｙ枚）重なって繰出された場合は、検知される予定であった記番号が検知さえない可能性がある。しかし、前述の通り、還流庫から紙葉類が抜き取られていない可能性があるため、異常をアラートすると厳格すぎる運用となる可能性がある。そこで、２枚（Ｙ枚））重なって繰出された場合は、リトライを１回行うために、リトライ回数をＲ＝１に設定する（４０６）。【００５９】
次に、鑑別部３で鑑別された紙葉類の枚数と還流庫７の収納枚数の合計枚数（すなわち、繰出し前の還流庫７の収納枚数（（４０４）におけるＳ７の更新後はＳ７＋Ｙ））が、紙葉類情報テーブル１１ａに記憶された紙葉類の情報のうち、最新の収納位置（通しＮｏ．１１０１に相当する値がＮ７−１である紙葉類の収納位置）Ｘに、ある程度幅を持たせた値（±αした値）の範囲内にあるかどうかをチェックする（４０７）。【００６０】
上記チェックの結果、範囲内にある場合（４０７：Ｙｅｓ）、制御部１２は、記番号を記憶した紙葉類が繰出されるタイミングと判断し、記番号チェックである旨のフラグをＯＮとし（４０８）、鑑別した記番号と、通しＮｏ．１１０１に相当する値がＮ７−１のである紙葉類の記番号との一致チェックを行う（４０９）。【００６１】
（４０９）のチェックの結果、２つの記番号が一致した場合は、記番号チェックである旨のフラグをＯＦＦ（チェックを終了）とし（４１０）、図１３に示す紙葉類情報テーブル１１ａのように、Ｎ７−１の位置に記憶された、収納位置、鑑別情報、固有情報を削除する（４１１）。なお、図１３の場合、収納位置、鑑別情報、固有情報を２回削除したものであるため、処理前のＮ７−２の位置がＮ７となっている点に留意すべきである。その後、収納位置、鑑別情報、固有情報が削除された位置を次の記憶位置とすべく、Ｎ７をＮ７−１に更新する（４１２）。なお、（４０９）のチェックの結果、２つの記番号が一致しなかった場合は、上記（４１０）〜（４１２）の処理はスキップされる。これらの処理は、還流庫７に収納された紙葉類を全て繰出し、搬送が完了するまで繰り返し実行される（４１３）。【００６２】
一方、（４０７）におけるチェックの結果、範囲内にない場合であり（４０７：Ｎｏ）、記番号チェックである旨のフラグがＯＮであるときは（４１４）、リトライ回数Ｒ＝１であれば（４１５：Ｙｅｓ）、異常をアラートさせず、通しＮｏ．１１０１に相当する値がＮ７−２である紙葉類の収納位置についてもチェックを行うために、Ｎ７をＮ７−１に更新する（４１６）。また、リトライ回数をＲ＝０に更新し（４１７）、記番号チェックである旨のフラグをＯＦＦ（チェックを終了）とする（４１８）。【００６３】
その後、再度（４１５）以降の処理が実行された場合であって、リトライ回数Ｒ＝０であるとき（４１５：Ｎｏ）、チェック範囲内で記番号を検出できなかったと判断し、異常をアラートとし（４１９）、処理を終了する。【００６４】
なお、還流庫７から２枚（Ｙ枚）重なった繰出が複数回発生した場合、発生の度にリトライ回数Ｒ＝１に設定し（４０６）、以降の処理を行う。【００６５】
以上の説明では、還流庫１０から還流庫７への紙葉類の搬送、及び還流庫７から還流庫１０への紙葉類の搬送の場合を説明したが、還流庫１０から還流庫８、９への紙葉類の搬送、及び還流庫８、９から還流庫１０への紙葉類の搬送についても同様であるため、説明を省略する。また、還流庫１０を紙葉類装填部としての機能を有する還流庫として説明したが、還流庫７、８、９の代わりに用いても良い。
【実施例３】
【００６６】
鑑別部３での読み取りが可能な紙葉類だけでなく、鑑別部３での読み取りが不可能な紙葉類も還流庫７（あるいは８、９、１０）に収納する場合がある。そこで、第３の実施例として、記憶部１１の紙葉類情報テーブル１１ａに、鑑別部３での読み取りが可能な紙葉類のみ記憶することで、繰出し時の紙葉類の情報の読み取りができないリスクを軽減することが可能となる。【００６７】
図１４は、還流庫７への紙葉類の収納処理を示すフローチャートである。還流庫７への収納処理が開始された場合（５０１）、初期値として、紙葉類情報テーブル１１ａの紙葉類の通しＮｏ．１１０１に相当する値（紙葉類に関する情報を記憶する位置）Ｎ７＝１、還流庫７の収納枚数Ｓ７＝０に設定する（５０２）。１枚目の紙葉類が鑑別部３を通過し、鑑別部３の処理が完了すると（５０３：Ｙｅｓ）、鑑別結果が鑑別部３から制御部１２へ報告される。【００６８】
そして、制御部１２は、その金種情報から紙葉類の搬送先を決定する。搬送先が還流庫７である場合（５０４：Ｙｅｓ）、還流庫７の収納枚数Ｓ７をＳ７＋１に更新する（５０５）。【００６９】
このとき、紙葉類の鑑別結果が、鑑別結果が損券の場合（５０６：Ｙｅｓ）、紙葉類情報テーブル１１ａへの記憶は行わない。すなわち、後述する（５０７）〜（５０９）の処理はスキップされる。【００７０】
（５０６）において、鑑別結果が損券であるか否かについては、損券レベル１１０５の高さで判断する。損券レベル１１０５が高い場合（例：損券レベルが「２」以上）、紙葉類の状態は悪いものであり、紙葉類に関する情報を紙葉類情報テーブル１１ａには記憶しない。一方、損券レベル１１０５が低い場合、紙葉類の状態は良いものであり、紙葉類に関する情報を紙葉類情報テーブル１１ａには記憶する。このように、紙葉類の状態は悪いものについて、紙葉類情報テーブル１１ａの記憶対象から外すことにより、繰出し時の紙葉類の情報の読み取りができないリスクを軽減する。【００７１】
図１４に戻り、制御部１２は、制御部１２自身が事前に抽出された値とＳ７とが一致するか判定を行う（５０７）。Ｓ７が事前に抽出された値であり、葉類に関する情報を紙葉類情報テーブルに記憶すると判定された場合（５０７：Ｙｅｓ）、図１５に示す紙葉類情報テーブル１１ａのように、Ｎ７の位置に、収納位置、鑑別情報、固有情報を記憶する（５０８）。その後、Ｎ７をＮ７＋１に更新する（５０９）。（５０１）〜（５０９）の処理は、還流庫１０に収納された紙葉類を全て繰出し、搬送が完了するまで繰り返し実行される（５１０）。【００７２】
以上の説明では、還流庫１０から還流庫７への紙葉類の搬送、及び還流庫７から還流庫１０への紙葉類の搬送の場合を説明したが、還流庫１０から還流庫８、９への紙葉類の搬送、及び還流庫８、９から還流庫１０への紙葉類の搬送についても同様であるため、説明を省略する。また、還流庫１０を紙葉類装填部としての機能を有する還流庫として説明したが、還流庫７、８、９の代わりに用いても良い。
【符号の説明】
【００７３】
１：紙葉類取扱装置、２：入出金口、３：鑑別部、４：一時保留部、５：搬送路、６：入金庫、７〜１０：還流庫、１１：記憶部、１２：制御部、１３ａ〜１３ｈ：搬送路センサ、１４：取り忘れ回収庫、１０１：現金自動取引装置、１０２：カード／明細票処理機構、１０３：通帳処理機構、１０４：筐体、１０５：操作/表示部、１０６：本体制御部、１０７：インタフェース部、１０８：係員操作部、１０９：外部記憶装置、１１０：バス、１１１：電源部
【図１】
2013121643.tif 000003
【図２】
2013121643.tif 000004
【図３】
2013121643.tif 000005
【図４】
2013121643.tif 000006
【図５】
2013121643.tif 000007
【図６】
2013121643.tif 000008
【図７】
2013121643.tif 000009
【図８】
2013121643.tif 000010
【図９】
2013121643.tif 000011
【図１０】
2013121643.tif 000012
【図１１】
2013121643.tif 000013
【図１２】
2013121643.tif 000014
【図１３】
2013121643.tif 000015
【図１４】
2013121643.tif 000016
【図１５】
2013121643.tif 000017
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
紙葉類を鑑別する鑑別部と、
紙葉類を収納し、収納された紙葉類を繰出す還流庫と、
前記鑑別部と前記還流庫とを接続し、紙葉類を搬送する搬送路と、
前記紙葉類に関する情報と、該紙葉類の収納位置とを記憶する記憶部と、
各部を制御する制御部と、を備え、
前記制御部は、前記記憶部に紙葉類に関する情報を記憶する対象となる紙葉類を、予め定められた枚数以上の間隔をあけて抽出し、前記記憶部は、前記抽出された紙葉類に対して、該紙葉類に関する情報を記憶することを特徴とする紙葉類取扱装置。
【請求項２】
請求項１に記載された紙葉類取扱装置であって、
前記制御部は、前記還流庫から繰出され、前記鑑別部で鑑別された紙葉類に関する情報と、前記記憶部に記憶された紙葉類に関する情報と、を照合することを特徴とする紙葉類取扱装置。
【請求項３】
請求項２に記載された紙葉類取扱装置であって、
前記制御部は、前記記憶部に記憶された紙葉類の収納位置を基準として、予め定められた範囲内において、前記鑑別部が該紙葉類に関する情報を鑑別するか判断することを特徴とする紙葉類取扱装置。
【請求項４】
請求項１〜３のいずれか一つに記載された紙葉類取扱装置であって、
前記制御部は、前記記憶部に紙葉類に関する情報を記憶する対象となる紙葉類を所定枚数毎にあるいは無作為に抽出することを特徴とする紙葉類取扱装置。
【請求項５】
（削除）
【請求項６】
請求項１〜４のいずれか一つに記載された紙葉類取扱装置であって、
前記制御部は、前記還流庫に収納された紙葉類の枚数に応じて、前記記憶部に紙葉類に関する情報を記憶する対象となる紙葉類を抽出する間隔を変更することを特徴とする紙葉類取扱装置。
【請求項７】
請求項１〜６のいずれか一つに記載された紙葉類取扱装置であって、
前記制御部は、前記紙葉類の汚れや欠損の程度が所定の範囲内である紙葉類に対して、前記記憶部に紙葉類に関する情報を記憶することを特徴とする紙葉類取扱装置。
【請求項８】
請求項１〜７のいずれか一つに記載の紙葉類取扱装置であって、
前記制御部は、前記紙葉類取引装置に接続される自動取引装置に通知する通知手段を有することを特徴とする紙葉類取扱装置。
【請求項９】
請求項１に記載された紙葉類取扱装置と、
前記還流庫から繰出された紙幣であり、前記鑑別部で鑑別された紙葉類に関する情報と、前記記憶部に記憶された紙葉類に関する情報と、を前記紙葉類取扱装置により照合した結果を表示する表示手段と、を有することを特徴とする自動取引装置。
【国際調査報告】
2013121643.tif 000018
2013121643.tif 000019